(57)【要約】【課題】番組の概略を知り、テレビジョン放送を簡単に予約記録することができるようにする。【解決手段】受信装置は、受信した番組表データに基づいて、テレビ番組を紹介するための所定の音声を出力し、テレビ番組を紹介するための所定の画像とテキストデータなどからなる番組情報を番組表として表示するとともに、番組表の画面の広告表示部に、このテレビ番組を提供するスポンサーのための広告を表示する。使用者は、この番組表の画面を見ながら、予約記録を指示する。本発明は、放送されるデータを送受信するテレビジョン放送システムに適用できる。【選択図】図６
2004007822.tif 000002
【特許請求の範囲】
【請求項１】
　少なくとも番組放送時刻を表す情報、放送チャンネルを表す情報、および番組の種類を表す情報を含む番組表データを受信する受信手段と、
　受信した前記番組表データに基づいて、番組表を電子番組ガイド画面上に表示するとともに、前記電子番組ガイド画面上の一部の表示領域に設けられた広告表示部に広告情報を表示する表示手段と
　を備えることを特徴とする受信装置。
【請求項２】
　受信した前記番組表データを記録する記録手段を更に備え、
　前記表示手段は、前記記録手段に記録された前記番組表データを読み出して、前記番組表を前記電子番組ガイド画面上に前記広告情報と同時に表示させる
　ことを特徴とする請求項１に記載の受信装置。
【請求項３】
　前記広告情報は、前記番組を提供するスポンサーの広告情報である
　ことを特徴とする請求項１に記載の受信装置。
【請求項４】
　前記広告情報は、前記番組表データを提供するスポンサーの広告情報である
　ことを特徴とする請求項１に記載の受信装置。
【請求項５】
　少なくとも番組放送時刻を表す情報、放送チャンネルを表す情報、および番組の種類を表す情報を含む番組表データを受信し、
　受信した前記番組表データに基づいて、番組表を電子番組ガイド画面上に表示するとともに、前記電子番組ガイド画面上の一部の表示領域に設けられた広告表示部に広告情報を表示する
　ことを特徴とする受信方法。
【請求項６】
　受信した前記番組表データを記録し、
　記録した前記番組表データを読み出して、前記番組表を前記電子番組ガイド画面上に前記広告情報と同時に表示させる
　ことを特徴とする請求項５に記載の受信方法。
【請求項７】
　前記広告情報は、前記番組を提供するスポンサーの広告情報である
　ことを特徴とする請求項５に記載の受信方法。
【請求項８】
　前記広告情報は、前記番組データを提供するスポンサーの広告情報である
　ことを特徴とする請求項５に記載の受信方法。
【発明の詳細な説明】
【技術分野】
【０００１】
　本発明は、受信装置および方法にプログラムに関し、特に、衛星を介してテレビジョン放送を行い、受信側において、この放送を予約記録する場合に用いて好適な受信装置および方法に関する。
【背景技術】
【０００２】
　テレビジョン放送されている番組を予約録画するのに、従来２つの方法が用いられている。
【０００３】
　１つの方法は、使用者が、新聞や小冊子などに印刷された状態で配布される番組表から所望の番組の放送時刻を知り、その時刻情報を、リモコン装置などからＶＴＲに入力する方法である。
【０００４】
　他の１つの方法は、例えばいわゆるＧコードに代表されるように、新聞や小冊子などに印刷されて配布される番組表に記載されている７桁乃至８桁程度の数字（Ｇコード）を入力する方法である。この方法によれば、その番組に対応するＧコードを入力するだけで、放送開始時刻や終了時刻を考慮せずに予約入力を行うことができる利便性がある。
【発明の開示】
【発明が解決しようとする課題】
【０００５】
　しかしながら、Ｇコードを利用する方法は、放送開始時刻と終了時刻を入力する方法に較べて、予約のための操作がより簡略化されてはいるが、入力する数字の桁数が比較的大きいため、その数字を一度に記憶することができず、その数字を確認するために番組表を何回も見直ししなければならない場合があった。また、このＧコードが、狭い番組表の中に多数記載されているため、隣の番号を読んでしまい、誤った数字を入力してしまうようなことがあった。
【０００６】
本発明はこのような状況に鑑みてなされたものであり、より簡単にテレビジョン放送の予約記録を行うことができるようにするものである。
【課題を解決するための手段】
【０００７】
　本発明の受信装置は、少なくとも番組放送時刻を表す情報、放送チャンネルを表す情報、および番組の種類を表す情報を含む番組表データを受信する受信手段と、受信した番組表データに基づいて、番組表を電子番組ガイド画面上に表示するとともに、電子番組ガイド画面上の一部の表示領域に設けられた広告表示部に広告情報を表示する表示手段とを備えることを特徴とする。
【０００８】
　受信した番組表データを記録する記録手段を更に備え、表示手段は、記録手段に記録された番組表データを読み出して、番組表を電子番組ガイド画面上に広告情報と同時に表示させるようにすることができる。
【０００９】
　広告情報は、番組を提供するスポンサーの広告情報であるようにすることができる。
【００１０】
　広告情報は、番組表データを提供するスポンサーの広告情報であるようにすることができる。
【００１１】
　本発明の受信方法は、少なくとも番組放送時刻を表す情報、放送チャンネルを表す情報、および番組の種類を表す情報を含む番組表データを受信し、受信した番組表データに基づいて、番組表を電子番組ガイド画面上に表示するとともに、電子番組ガイド画面上の一部の表示領域に設けられた広告表示部に広告情報を表示することを特徴とする。
【００１２】
　受信した番組表データを記録し、記録した番組表データを読み出して、番組表を電子番組ガイド画面上に広告情報と同時に表示させるようにすることができる。
【００１３】
　広告情報は、番組を提供するスポンサーの広告情報であるようにすることができる。
【００１４】
　広告情報は、番組データを提供するスポンサーの広告情報であるようにすることができる。
【００１５】
　本発明においては、少なくとも番組放送時刻を表す情報、放送チャンネルを表す情報、および番組の種類を表す情報を含む番組表データが受信される。そして、受信された番組表データに基づいて、番組表が電子番組ガイド画面上に表示されるとともに、電子番組ガイド画面上の一部の表示領域に設けられた広告表示部に広告情報が表示される。
【発明の効果】
【００１６】
　本発明によれば、使用者は、番組の概略を知り、例えば、簡単に記録予約を行うことが可能になる。さらに、本発明によれば、番組や番組表を提供するスポンサーの広告ができる。
【発明を実施するための最良の形態】
【００１７】
　以下、図を参照して本発明の実施の形態について説明する。
【００１８】
　図１は、本発明のテレビジョン放送方法の原理を表している。同図に示すように、放送局側の送信装置１にはアンテナ２が備えられており、このアンテナ２より、電波が、通信衛星、放送衛星などの衛星１１に送られる。衛星１１は、この電波を受信し、所定の変換処理を行った後、各家庭に配置されている受信装置２２に伝送する。受信装置２２は、アンテナ２１によりこの電波を受信し、復調する。
【００１９】
　送信装置１は、衛星１１に対して、ビデオ信号とオーディオ信号を、それぞれ異なるチャンネルで伝送する。
【００２０】
　図２は、このうちのオーディオ信号の伝送フォーマットを表している。同図に示すように、このオーディオデータのためのチャンネルは、１．７Ｍｂｐｓのビットレートとされ、このビットレートの中に、オーディオ１乃至オーディオ４の４チャンネルのオーディオデータと、その他のデータのためのデータチャンネルが割り当てられている。そして、これらのオーディオ１乃至オーディオ４とデータチャンネルに対して、ヘッダと、エラー訂正のためのコード（ＥＣＣ）も割り当てられている。
【００２１】
　オーディオ１とオーディオ２には、放送されるビデオ信号に付随するステレオのオーディオデータが配置される。また、オーディオ３とオーディオ４には、音楽専用放送用のステレオオーディオデータが配置されている。
【００２２】
　一方、４８０Ｋｂｐｓのビットレートを有するデータチャンネルは、図３に示すように、パケット０乃至パケット１４の１５個のパケットにより構成されており、パケット単位で所定のデータを伝送することができるようになされている。
【００２３】
　この実施例においては、この１５個のパケットのうち、所定の数のパケットを用いて、番組表データが伝送されるようになされている。
【００２４】
　図４は、番組表データの構造の例を表している。同図に示すように、所定の放送局において、例えば１日に１５本のテレビ番組を放送する場合、各番組ごとに、番組表１乃至番組表１５が形成される。各番組表は、対応する番組を紹介するものであり、例えば図５に示すように、そのテレビ番組を紹介するための所定のシーンの静止画像３枚と、最大１５秒間の解説のためのオーディオ信号と、テキストデータ、ジャンル分けデータ、時刻情報、その他の番組情報を含むその他のデータにより構成される。
【００２５】
　静止画像は、１枚の画像を６４０×４８０画素で構成し、２５６色のカラーで表示するものとすると、例えばＷｉｎｄｏｗｓ（登録商標）の標準のＢＭＰフォーマットに従えば、１枚の画像の容量は、３００ＫＢｙｔｅとなる。従って、３枚の静止画像を表すのに必要な容量は、９００ＫＢｙｔｅとなる。
【００２６】
　一方、オーディオ信号は、Ｗｉｎｄｏｗｓ（登録商標）の標準のＷＡＶフォーマットに従って、１サンプルを８ビットで表し、サンプリング周波数を、２２．１ｋＨｚとし、モノラルの音声とすると、その容量は３００ＫＢｙｔｅとなる。
【００２７】
　テキストデータに代表されるその他のデータの容量を、２ＫＢｙｔｅとすると、１つの番組の番組表を表現するのに必要な容量は、約１．２ＭＢｙｔｅとなる。
【００２８】
　この番組表データは、毎日、翌日の分を前日の夜に伝送したり、１週間分、１ヶ月分などのまとまったデータを事前に伝送するようにする。
【００２９】
　１日分の番組数を１５とした場合、この番組表の１日分の全転送データ量は、１８ＭＢｙｔｅ（＝１．２×１５）となるので、約１６分で転送することができる。１週間分あるいは１ヶ月分伝送する場合においては、その分だけ時間がかかることになるため、転送時間を考慮して、事前に伝送される。
【００３０】
　図６は、１つの番組の番組表の表示例を表している。この実施例においては、画面左上方部に１枚の静止画が表示されている。この静止画は、図５に示した３枚の静止画のうちの１枚である。また、その静止画の上方には、この番組のタイトル「エイリアン」がテキストデータに対応して表示されている。さらにまた、静止画像の下側には、この番組の原作、脚本、監督の人物名と、この番組を紹介する文字が表示されている。
【００３１】
　さらに、画面の右下方には、この番組を提供するスポンサーのための広告表示部が設けられている。この広告表示部には、この番組を提供するスポンサーの他、この番組表を提供するスポンサーの広告を表示するようにすることも可能である。
【００３２】
　また、画面の右上方には予約のためのアイコンが表示される。
【００３３】
　番組表としては、このような画像と文字の表示の他、その番組を解説する音声が付随して出力されることになる。
【００３４】
　図７は、送信装置１の構成例を示している。この実施例においては、テレビ番組を構成するビデオ信号がスクランブル回路３２に供給されるようになされている。そして、スクランブル回路３２の出力が、変調回路３３に供給されている。また、このビデオ信号に付随するオーディオ信号が、Ａ／Ｄ変換器３４を介して合成回路３５に入力され、合成回路３５から変調回路３３に供給されている。
【００３５】
　一方、図６に示した番組表を構成するためのビデオ信号が、Ａ／Ｄ変換器４１を介して合成回路４３に供給されているとともに、それに付随するオーディオ信号が、Ａ／Ｄ変換器４４を介して合成回路４３に供給されている。さらにまた、テキストデータに代表されるその他のデータが、合成回路４３に供給されている。そして合成回路４３の出力が、合成回路３５に供給され、Ａ／Ｄ変換器３４から供給されるオーディオデータと合成されるようになされている。
【００３６】
　次に、その動作について説明する。番組を構成するビデオ信号は、スクランブル回路３２に入力され、スクランブルされた後、変調回路３３に供給される。
【００３７】
　一方、この番組を構成するビデオ信号に付随するオーディオ信号が、Ａ／Ｄ変換器３４によりＡ／Ｄ変換された後、合成回路３５に供給される。この合成回路３５にはまた、合成回路４３から出力された番組表のデータも供給されている。
【００３８】
　即ち、番組表を構成するビデオ信号は、Ａ／Ｄ変換器４１によりＡ／Ｄ変換された後、合成回路４３に供給される。また、この番組表を構成するビデオ信号に付随するオーディオ信号が、Ａ／Ｄ変換器４４によりＡ／Ｄ変換された後、合成回路４３に供給される。さらにまた、テキストデータ（その他のデータ）が合成回路４３に供給される。
【００３９】
　合成回路４３は、入力されたビデオデータ、オーディオデータ、およびテキストデータを、同一の番組表の範囲内で、合成する。合成回路４３により合成された番組表データが、さらに合成回路３５に入力され、Ａ／Ｄ変換器３４より入力されるオーディオデータと合成される。即ち、番組用のオーディオデータは、図２におけるオーディオ１とオーディオ２のチャンネルに配置され、合成回路４３より供給された番組表データは、データチャンネルの所定のパケット内に配置される。
【００４０】
　このようにして、合成回路３５により合成されたオーディオチャンネルのデータが、変調回路３３に供給される。変調回路３３は、スクランブル回路３２より供給されたビデオ信号と、合成回路３５より供給されたオーディオデータとを所定の方式で変調し、出力する。
【００４１】
　この出力が図１に示したアンテナ２を介して衛星１１に伝送されることになる。
【００４２】
　図８は、受信装置２２の構成例を示している。この実施例においては、受信された信号が、復調回路５１に入力され、復調されるようになされている。復調回路５１により復調されたビデオ信号は、デスクランブル回路５２，合成回路５４を介して、ＣＲＴ５５に出力、表示されるようになされている。
【００４３】
　一方、復調回路５１より出力されたビデオデータは、分離回路５６に入力され、そこで番組用のオーディオデータが分離され、Ｄ／Ａ変換器５７，合成回路５８を介してスピーカ５９に出力されるようになされている。
【００４４】
　また、分離回路５６により分離された番組表データは、分離回路７１に供給され、ビデオデータ、オーディオデータ、またはテキストデータに分離された後、ハードディスク７５に供給され、記憶されるようになされている。
【００４５】
　このハードディスク７５より読み出されたビデオデータは、Ｄ／Ａ変換器７６，合成回路５４を介してＣＲＴ５５に供給されるようになされている。また、ハードディスク７５より読み出されたオーディオデータは、Ｄ／Ａ変換器７７，合成回路５８を介してスピーカ５９に供給されるようになされている。さらに、ハードディスク７５より読み出されたテキストデータは、キャラクタジェネレータ７８に供給され、そこにおいて、対応するキャラクタ信号に変換され、合成回路５４に出力されるようになされている。
【００４６】
　ハードディスク７５は、入力部８１からの入力に対応して、例えばマイクロコンピュータなどよりなる制御回路８２により制御されるようになされている。
【００４７】
　さらに、制御回路８２にはＲＡＭなどよりなるメモリ９１が接続され、適宜所定のデータが記憶されるようになされている。また、ＣＲＴ５５の前面にはタッチセンサ９３が配置され、使用者が所定の位置をタッチすると、その検出信号が制御回路８２に出力されるようになされている。
【００４８】
　また、この制御回路８２は、ＶＴＲ９２を制御し、記録再生動作を実行させるようになされている。ＶＴＲ９２より出力されたビデオ信号とオーディオ信号は、合成回路５４または５８を介してＣＲＴ５５またはスピーカ５９にそれぞれ出力されるようになされている。
【００４９】
次に、図９のフローチャートを参照して、その動作について説明する。入力部８１を操作して、予約入力を指令すると、制御回路８２は図９のフローチャートに示す処理を開始する。
【００５０】
最初に、ステップＳ１において、変数ｉに１が初期設定される。次に、ステップＳ２において、番組表ｉが再生される。すなわち制御回路８２はハードディスク７５を制御し、そこに記録されている番組表１を再生させる。
【００５１】
　ハードディスク７５から再生された番組表１のビデオ信号は、Ｄ／Ａ変換器７６によりＤ／Ａ変換された後、合成回路５４に出力される。また、ハードディスク７５より再生された番組表１のテキストデータは、キャラクタジェネレータ７８に供給される。キャラクタジェネレータ７８は、入力されたテキストデータに対応するキャラクタ信号を発生し、合成回路５４に出力する。合成回路５４はＤ／Ａ変換器７６とキャラクタジェネレータ７８より入力された信号を合成し、ＣＲＴ５５に出力し、表示させる。これにより、図６に示すような画像がＣＲＴ５５に表示されることになる。
【００５２】
一方、ハードディスク７５より再生された番組表１のオーディオ信号が、Ｄ／Ａ変換器７７によりＤ／Ａ変換された後、合成回路５８を介してスピーカ５９に出力される。従って、使用者はＣＲＴ５５に表示された画像と、スピーカ５９より出力される音声による解説とから、番組表１に対応する番組１の概略を知ることができる。
【００５３】
　そして、使用者はこの画像、あるいはこの解説を聞きながら、この番組１を予約記録したいと思ったときは、図６に示す予約のためのアイコンを例えば指でタッチする。使用者がアイコンをタッチすると、タッチされたことがタッチセンサ９３により検出され、その検出信号が制御回路８２に出力される。
【００５４】
　制御回路８２は、ステップＳ３において、タッチセンサ９３からの検出信号が入力されたか否かを判定し、入力されていないと判定された場合、ステップＳ４に進み、番組表１の再生が終了したか否かを判定する。番組表１の再生がまだ終了していないと判定されたとき、ステップＳ３に戻り、それ以降の処理を繰り返す。すなわち、番組表１が再生されている期間、予約入力を待機する。
【００５５】
　そして、ステップＳ３において、予約入力がなされたと判定された場合（予約入力のためのアイコンがタッチされた場合）、ステップＳ５に進み、番組１の予約処理を実行する。すなわち、制御回路８２は、今、ＣＲＴ５５とスピーカ５９に出力している番組表に対応する番組１の放送開始時刻と放送終了時刻を番組表のデータから読み出し、これをメモリ９１の予約テーブルに記録する。
【００５６】
　このように、ステップＳ５において、番組１の予約処理が行われた後、あるいは、ステップＳ４において、番組１の再生が終了したと判定されたとき、次にステップＳ６に進み、最後の番組表まで再生を行ったか否かが判定される。最後の番組表までまだ再生を行っていないとき、ステップＳ７に進み、変数ｉを１だけインクリメントし、ステップＳ２に戻る。そして、それ以降の処理を同様に繰り返す。
【００５７】
　すなわち、このような動作が繰り返し実行されることにより、ＣＲＴ５５とスピーカ５９に各番組ごとに構成した番組表が順次出力されることになる。従って、使用者はこの番組表を見ながら、予約記録を行いたい番組表が表示されているとき、アイコンをタッチするだけで、予約入力を行うことができる。このように、使用者は、その番組の放送開始時刻、終了時刻をはじめ、その番組を特定するための数字などを確認することなく、さらに、その番組を特定するための特別なキーを操作することなく、単に予約のためのボタンにタッチするだけで、記録予約を完了することが可能となる。
【００５８】
ステップＳ６で、最後の番組表の再生が終了したと判定されたとき、ステップＳ８に進み、メモリ９１に記憶した予約テーブルの内容をＶＴＲ９２に伝送する。
【００５９】
　ＶＴＲ９２は、常に計時動作を行っているタイマ回路を内蔵している。そして、そのタイマ回路が計時する時刻が、メモリ９１から伝送されてきた予約テーブルに記憶した時刻に達したとき、予約記録動作を開始する。そして、予約テーブルに記憶した終了時刻が到来したとき、その記録動作を停止する。
【００６０】
　以上のように、使用者が各家庭において、簡単に記録予約を行うことが可能になる。
【図面の簡単な説明】
【００６１】
【図１】本発明のテレビジョン放送方法の原理を説明する図である。
【図２】図１の実施例におけるオーディオデータチャンネルのフォーマットを説明する図である。
【図３】図２におけるデータチャンネルのフォーマットを説明する図である。
【図４】本発明における番組表のデータ構造を説明する図である。
【図５】図４の実施例における番組表のデータ構成を説明する図である。
【図６】図４の１つの番組表の表示例を示す図である。
【図７】図１の送信装置１の構成例を示すブロック図である。
【図８】図１の受信装置２２の構成例を示すブロック図である。
【図９】図８の実施例の動作を説明するフローチャートである。
【符号の説明】
【００６２】
　１　送信装置，２　アンテナ，１１　衛星，２１　アンテナ，２２　受信装置，３２　スクランブル回路，３３　変調回路，３４　Ａ／Ｄ変換器，３５　合成回路，４１　Ａ／Ｄ変換器，４３　合成回路，４４　Ａ／Ｄ変換器，５１　復調回路，５２　デスクランブル回路，５４　合成回路，５５　ＣＲＴ，５６　分離回路，５７　Ｄ／Ａ変換器，５８　合成回路，５９　スピーカ，７１　分離回路，７５　ハードディスク，７６，７７　Ｄ／Ａ変換器，７８　キャラクタジェネレータ，８１　入力部，８２　制御回路，９１　メモリ，９２  ＶＴＲ，９３　タッチセンサ
【図１】
2004007822.tif 000003
【図２】
2004007822.tif 000004
【図３】
2004007822.tif 000005
【図４】
2004007822.tif 000006
【図５】
2004007822.tif 000007
【図６】
2004007822.tif 000008
【図７】
2004007822.tif 000009
【図８】
2004007822.tif 000010
【図９】
2004007822.tif 000011